(57)【要約】【課題】本発明はシートスルー方式で読み取る際の各動作のタイミングを調整して、処理速度を向上させた画像読取装置を提供する。【解決手段】デジタル複写装置１は、第１走行体１５を白基準板１２の下方に移動させて白基準板１２を読み取った後にシートスルー用コンタクトガラス１１の下方に移動させるＡＤＦシェーディング動作を行った後、ゴミ検知用基準板２６を読み取ってシートスルー用コンタクトガラス１１の汚れ検知動作を行い、その後、ＡＤＦ２０で原稿をシートスルー用コンタクトガラス１１上に搬送させて画像を読み取るシートスルー読取動作を行う際に、画像読取要求を受けてから、ＡＤＦシェーディング動作所要時間Ｔｓと汚れ検知動作所要時間Ｔｌの合計時間から、シートスルー読取動作開始から原稿先端がシートスルー読取位置に達するまでの時間Ｔｄを減算した時間（Ｔ＝Ｔｓ＋Ｔｌ−Ｔｄ）だけ経過したときにシートスルー読取動作を開始する。【選択図】          図２
2004357190.tif 000002
【特許請求の範囲】
【請求項１】
原稿が固定的に載置されるブック原稿台と、原稿載置台上に載置された複数枚の原稿が原稿搬送手段により１枚ずつ分離・搬送されてくるシートスルー原稿台と、前記ブック原稿台及び前記シートスルー原稿台の下方に副走査方向に移動可能に配設され、前記ブック原稿台上に固定的に載置された原稿を当該ブック原稿台の下方を副走査方向に移動して読み取り、前記シートスルー原稿台上を搬送される原稿を当該シートスルー原稿台の下方に固定して読み取る露光走査手段と、シェーディング補正データを提供する白基準板と、前記シートスルー原稿台に対向して配置され当該シートスルー原稿台上に前記原稿が存在しないときに前記露光走査手段で読み取られて当該シートスルー原稿台の汚れの有無を検知するための検知データを提供する汚れ検知板と、を備え、前記ブック原稿読取台上に載置された原稿を前記露光走査手段が移動走査して当該原稿の画像を読み取るブック方式と、前記露光走査手段を前記シートスルー原稿台の下方のシートスルー読取位置に移動させて当該シートスルー原稿台上を前記原稿搬送手段で搬送される原稿を当該シートスルー読取位置に固定されている当該露光走査手段で走査して当該原稿の画像を読み取るシートスルー方式と、のいずれの方式でも原稿の読み取りを行うとともに、いずれの読取方式で原稿を読み取る場合にも、当該原稿の読取毎に前記白基準板を読み取って、当該白基準板を読み取ったときのシェーディング補正データに基づいて前記原稿を読み取ったときの画像データをシェーディング補正し、前記シートスルー方式で原稿の画像を読み取る場合には、画像読取要求を受け取ると、前記露光走査手段を前記白基準板を読み取る白基準板読取位置に移動させて当該白基準板を当該露光走査手段で読み取ってシェーディング補正データを取得した後当該露光走査手段を前記シートスルー原稿台の下方の前記シートスルー読取位置に移動させるシートスルーシェーディング動作を行った後、当該シートスルー読取位置に移動した当該露光走査手段で前記汚れ検知板を読み取って前記シートスルー原稿台の汚れの有無を検知する汚れ検知動作を行い、その後、前記原稿搬送手段を駆動して１枚の原稿を前記原稿載置台から前記シートスルー原稿台上に搬送させ、当該シートスルー原稿台上を搬送される原稿の画像を前記シートスルー読取位置に固定されている前記露光走査手段で読み取るシートスルー読取動作を行う画像読取装置であって、前記画像読取要求に応じて、前記シートスルー方式で原稿の読み取りを行う際に、前記シートスルーシェーディング動作の所要時間をＴｓ、前記汚れ検知動作の所要時間をＴｌ、前記原稿搬送手段の前記シートスルー読取動作開始から原稿の先端が前記シートスルー読取位置に到達するまでの原稿搬送所要時間をＴｄとしたとき、前記画像読取要求を受けてから待ち時間Ｔ＝Ｔｓ＋Ｔｌ−Ｔｄだけ経過したときに、前記原稿搬送手段による前記シートスルー読取動作を開始することを特徴とする画像読取装置。
【請求項２】
前記画像読取装置は、前記原稿搬送所要時間Ｔｄが、前記シートスルーシェーディング動作の所要時間Ｔｓと前記汚れ検知動作の所要時間Ｔｌの合計時間よりも大きいときには、前記画像読取要求を受けた際に、前記シートスルーシェーディング動作を開始するとともに、前記シートスルー読取動作を開始することを特徴とする請求項１記載の画像読取装置。
【請求項３】
前記画像読取装置は、前記シートスルー方式で複数枚の原稿を連続して読み取る際に、２枚目以降の原稿の読み取りにおいて、前記画像読取要求を受けた時点から直前の原稿読取終了の直後に開始した前記シートスルーシェーディング動作及び前記汚れ検知動作が終了するまでの前動作終了時間をＴｄｓとしたとき、前記画像読取要求を受けてから待ち時間Ｔ＝Ｔｄｓ−Ｔｄだけ経過したときに、前記原稿搬送手段による前記シートスルー読取動作を開始することを特徴とする請求項１記載の画像読取装置。
【請求項４】
前記画像読取装置は、前記原稿搬送所要時間Ｔｄが、前記前動作終了時間Ｔｄｓよりも大きいときには、前記画像読取要求を受けた際に、前記シートスルー読取動作を開始することを特徴とする請求項３記載の画像読取装置。
【請求項５】
前記画像読取装置は、前記シートスルーシェーディング動作を行うことなく、前記原稿の読み取りを行う場合には、前記画像読取要求を受けてから待ち時間Ｔ＝Ｔｄｓ−Ｔｄだけ経過したときに、前記原稿搬送手段による前記シートスルー読取動作を開始することを特徴とする請求項３記載の画像読取装置。
【請求項６】
前記画像読取装置は、前記原稿搬送所要時間Ｔｄが、前記前動作終了時間Ｔｄｓよりも大きいときには、前記画像読取要求を受けた際に、前記シートスルー読取動作を開始することを特徴とする請求項５記載の画像読取装置。
【発明の詳細な説明】
【０００１】
【発明の属する技術分野】
本発明は、画像読取装置に関し、詳細には、シートスルー方式とブック方式のいずれでも白基準板に基づくシェーディング補正を行って原稿の読み取りを行うとともに、シートスルー方式で読み取る際の各動作のタイミングを調整して、処理速度を向上させた画像読取装置に関する。
【０００２】
【従来の技術】
【特許文献１】
特開平６−２８４２８４号公報
【特許文献１】
特開平８−９１１６号公報
複写装置やスキャナ等の画像読取装置においては、原稿の画像を読み取る方式として、いわゆるブック方式とシートスルー方式がある。
【０００３】
ブック方式の画像読取装置では、コンタクトガラス上の原稿を圧板で押さえ、この圧板のコンタクトガラス側の面に設けられた白基準板を読み取って信号処理回路の利得の補正及びシェーディングデータの生成を行った後、移動する走行体に搭載された画像読取部を原稿に沿って移動させながら原稿の画像を読み取って、高精度に画像の読み取りを行っている。
【０００４】
また、シートスルー方式の画像読取装置では、露光走査ユニットが固定して移動せず、原稿を移動させて、原稿の画像を読み取る。
【０００５】
そして、ブック方式とシートスルー方式のいずれの読取方式も可能な画像読取装置においては、複数枚の原稿を効率的に読み取るために、複数枚の原稿が載置される原稿載置部と、原稿載置部の原稿を一枚ずつ搬送する搬送部と、搬送される原稿と露光走査ユニットとの間に設けられたシートスルー用コンタクトガラスと、を有するいわゆるシートスルー型ドキュメントフィーダ（自動原稿搬送機構）が取り付けられ、シートスルー方式で読み取りを行う場合、ブック方式での読取と補正量を等しくするために、走行体に搭載された露光走査ユニットを白基準板とシートスルー用コンタクトガラスとの間を移動させて白基準板を読み取って、信号処理回路の利得の補正及びシェーディングデータの生成を行った後、露光走査ユニットを、シートスルー用コンタクトガラス位置に移動させて、ドキュメントフィーダにより搬送される原稿の画像をシートスルー用コンタクトガラスを通して露光走査ユニットで読み取って、高精度に画像の読み取りを行っている。
【０００６】
さらに、シートスルー方式の場合、原稿がシートスルー用コンタクトガラスと接触すること等で、シートスルー用コンタクトガラスが汚れることがある。この汚れにより、ゴミのある部分に読取方向のすじとして読取画像に現れてしまう。
【０００７】
そこで、シートスルー方式の画像読取装置では、従来から、シートスルー用コンタクトガラスの汚れによるスジ画像の発生を軽減するために、シェーディング処理後に、シートスルー用コンタクトガラスの上面にある汚れ基準板を数ライン分読み取り、当該汚れ基準板を読み取ったときの画像データによって汚れを検知し、補正を行う処理が一般的に行われている。
【０００８】
ところが、シートスルー方式とブック方式の両方の読み取りが可能な画像読取装置において、ドキュメントフィーダで複数枚の原稿を一枚ずつ搬送して、シートスルー方式で読み取る場合、原稿の読み取りを行う毎に、露光走査ユニットを搭載する走行体を白基準板位置まで移動させて当該白基準板を読み取った後、原稿読取位置であるシートスルー用コンタクトガラス位置に戻して、汚れ基準板を数ライン読み取ってゴミ検知を行うという行程が必要となるため、シェーディング補正及びゴミ検知が終了するまでの間、次の原稿の読み取りに移ることができず、その分画像読取の生産性（時間当たりの原稿読取枚数）が落ちてしまう。
【０００９】
この問題を解決するために、露光走査ユニットを搭載する走行体を、白基準板に移動し、読取位置まで戻る移動速度を速くすると、シェーディングに要する時間を短縮することはできるが、極端に速くすると、露光走査ユニットの位置ずれ等が発生しやすくなり、機械的動作であるがゆえの限界がある。
【００１０】
そこで、従来、光源および１ラインの受光素子を有し、ライン単位に原稿画像を読取る読取手段と、シェーディング補正のための白基準値を設定するための白基準設定位置から原稿画像を読取るための原稿読取位置に前記読取手段を移動する移動手段と、白基準設定位置に設定された前記読取手段の全受光素子に対向する主白基準板と、原稿読取位置に設定された前記読取手段の端部受光素子に対向する副白基準板と、原稿読取位置に設定された前記読取手段の残りの受光素子が原稿画像を読取るよう複数の原稿を順次搬送する原稿搬送手段と、白基準設定位置において前記主白基準板から前記読取手段の各受光素子に入射する光量を白基準値として採取し、各原稿の画像読取毎に読取位置において前記副白基準板から前記読取手段の端部受光素子に入射する光量を採取し、白基準設定位置および原稿読取位置において端部受光素子に入射する光量の比率に応じて受光素子の各白基準値を変更する処理手段とを備えた画像処理装置が提案されている（特許文献１参照）。
【００１１】
また、従来、原稿積載台上に積載された原稿を光学系が走査して原稿画像を読み取る第１の原稿読取モードと、原稿搬送手段によって原稿を搬送しつつ前記光学系が特定位置で停止した状態で原稿画像を読み取る第２の原稿読取モードとを有し、前記両モードにおいて読み取った原稿画像を光電変換素子を用いて光信号から電気信号に光電変換する画像読取装置において、第１の原稿読取モードの白色基準となる第１の白基準板と、第２の原稿読取モードの白色基準となる第２の白色基準パッチとを備え、第１の原稿読取モード時のシェーディング補正と、第２の原稿読取モード時のシェーディング補正は、ともに共通の白基準板を読み取って得たシェーディング波形を基に行う画像読取装置が提案されている（特許文献２参照）。
【００１２】
これらの従来技術は、いずれも白基準板で補正した値に基づいて、読取毎に副基準板を用いて補正を行っている。
【００１３】
そして、本出願人は、先に、プラテン上で一定速度で搬送される原稿を読み取る露光光学系と、読み取った画像情報の白の基準を補正するためのシェーディング板と、前記露光光学系で前記シェーディング板を読み取るために前記光学系の読み取り位置を移動させる走行体と、原稿の読み取りの前後にそれぞれ前記走行体を前記シェーディング板の位置に移動させてシェーディング動作を行わせる制御手段と、を備えた画像読取装置を提案している（特許文献３参照）。
【００１４】
【発明が解決しようとする課題】
しかしながら、このような従来の画像読取装置にあっては、効率的にかつ高品質で画像を読み取る上で、改良の必要があった。
【００１５】
すなわち、特許文献１記載の従来技術にあっては、副基準板が読取範囲外の一部分のみに設けられているため、主走査方向のばらつきを正確に補正することができないという問題があった。
【００１６】
また、特許文献２記載の従来技術にあっては、主走査方向のばらつきについては補正することはできるが、ミラーを駆動させる必要があるため、ミラーを副基準板を読み取る向きに移動し、その後、原稿読取時の状態に戻すという機械的動作が発生し、処理時間を短縮する上で限界があった。
【００１７】
さらに、上記特許文献１及び特許文献２のいずれの従来技術においても、２つの白基準板を設けているため、読み取る白基準板の枚数が増えるに従って本来の補正値からずれていってしまうという問題があった。
【００１８】
また、特許文献３記載の従来技術にあっては、シェーディング動作に関しては考慮されているが、原稿が待機位置から読取位置に移動してくるまでの時間については考慮されていないため、ドキュメントフィーダの読取速度によっては、意図する効果を上げることができないおそれがあり、改良の必要があった。
【００１９】
そこで、本発明は、シートスルー読取動作とシェーディング及びゴミ検知読取のタイミングを適切に操作して、効率よくかつ正確に行い、読取画像の品質を向上させつつ、原稿毎の読取間隔を短くして、原稿の画像読取の生産性を向上させる画像読取装置を提供することを目的としている。
【００２０】
具体的には、請求項１記載の発明は、画像読取要求を受け取ると、露光走査手段を白基準板を読み取る白基準板読取位置に移動させて当該白基準板を当該露光走査手段で読み取ってシェーディング補正データを取得した後当該露光走査手段をシートスルー原稿台の下方のシートスルー読取位置に移動させるシートスルーシェーディング動作を行った後、当該シートスルー読取位置に移動した当該露光走査手段で汚れ検知板を読み取ってシートスルー原稿台の汚れの有無を検知する汚れ検知動作を行い、その後、原稿搬送手段を駆動して１枚の原稿を原稿載置台からシートスルー原稿台上に搬送させ、当該シートスルー原稿台上を搬送される原稿の画像をシートスルー読取位置に固定されている露光走査手段で読み取るシートスルー読取動作を行うシートスルー方式で原稿の読み取りを行う際に、シートスルーシェーディング動作の所要時間をＴｓ、汚れ検知動作の所要時間をＴｌ、原稿搬送手段のシートスルー読取動作開始から原稿の先端がシートスルー読取位置に到達するまでの原稿搬送所要時間をＴｄとしたとき、画像読取要求を受けてから待ち時間Ｔ＝Ｔｓ＋Ｔｌ−Ｔｄだけ経過したときに、原稿搬送手段によるシートスルー読取動作を開始することにより、シートスルーシェーディング動作及び汚れ検知動作が終了した後にシートスルー読取動作を開始する場合に比較して、原稿搬送所要時間Ｔｄと汚れ検知動作所要時間Ｔｌの合計時間（Ｔｄ＋Ｔｌ）だけ読み取りを早く開始させ、読取画像の品質を向上させつつ、原稿の画像読取の生産性を向上させる画像読取装置を提供することを目的としている。
【００２１】
請求項２記載の発明は、原稿搬送所要時間Ｔｄが、シートスルーシェーディング動作の所要時間Ｔｓと汚れ検知動作の所要時間Ｔｌの合計時間よりも大きいときには、画像読取要求を受けた際に、シートスルーシェーディング動作を開始するとともに、シートスルー読取動作を開始することにより、シートスルーシェーディング動作及び汚れ検知動作が終了した後にシートスルー読取動作を開始する場合に比較して、シートスルーシェーディング動作所要時間Ｔｓと汚れ検知動作所要時間Ｔｌの合計時間（Ｔｓ＋Ｔｌ）だけ読み取りを早く開始させ、読取画像の品質を向上させつつ、原稿の画像読取の生産性を向上させる画像読取装置を提供することを目的としている。
【００２２】
請求項３記載の発明は、シートスルー方式で複数枚の原稿を連続して読み取る際に、２枚目以降の原稿の読み取りにおいて、画像読取要求を受けた時点から直前の原稿読取終了の直後に開始したシートスルーシェーディング動作及び汚れ検知動作が終了するまでの前動作終了時間をＴｄｓとしたとき、画像読取要求を受けてから待ち時間Ｔ＝Ｔｄｓ−Ｔｄだけ経過したときに、原稿搬送手段によるシートスルー読取動作を開始することにより、シートスルーシェーディング動作及び汚れ検知動作が終了した後にシートスルー読取動作を開始する場合に比較して、原稿搬送所要時間Ｔｄだけ原稿１枚当たりの読取間隔時間を短縮し、読取画像の品質を向上させつつ、原稿の画像読取の生産性を向上させる画像読取装置を提供することを目的としている。
【００２３】
請求項４記載の発明は、原稿搬送所要時間Ｔｄが、前動作終了時間Ｔｄｓよりも大きいときには、画像読取要求を受けた際に、シートスルー読取動作を開始することにより、シートスルーシェーディング動作及び汚れ検知動作が終了した後にシートスルー読取動作を開始する場合に比較して、前動作終了時間をＴｄｓだけ原稿１枚当たりの読取間隔時間を短縮し、読取画像の品質を向上させつつ、原稿の画像読取の生産性を向上させる画像読取装置を提供することを目的としている。
【００２４】
請求項５記載の発明は、シートスルーシェーディング動作を行うことなく、原稿の読み取りを行う場合には、画像読取要求を受けてから待ち時間Ｔ＝Ｔｄｓ−Ｔｄだけ経過したときに、原稿搬送手段によるシートスルー読取動作を開始することにより、シートスルーシェーディング動作及び汚れ検知動作が終了した後にシートスルー読取動作を開始する場合に比較して、原稿搬送所要時間Ｔｄだけ原稿１枚当たりの読取間隔時間を短縮し、読取画像の品質を向上させつつ、原稿の画像読取の生産性を向上させる画像読取装置を提供することを目的としている。
【００２５】
請求項６記載の発明は、原稿搬送所要時間Ｔｄが、前動作終了時間Ｔｄｓよりも大きいときには、画像読取要求を受けた際に、シートスルー読取動作を開始することにより、汚れ検知動作終了後からシートスルー読取動作を開始する場合に比較して、前動作終了時間をＴｄｓだけ原稿１枚当たりの読取間隔時間を短縮し、読取画像の品質を向上させつつ、原稿の画像読取の生産性を向上させる画像読取装置を提供することを目的としている。
【００２６】
【課題を解決するための手段】
請求項１記載の発明の画像読取装置は、原稿が固定的に載置されるブック原稿台と、原稿載置台上に載置された複数枚の原稿が原稿搬送手段により１枚ずつ分離・搬送されてくるシートスルー原稿台と、前記ブック原稿台及び前記シートスルー原稿台の下方に副走査方向に移動可能に配設され、前記ブック原稿台上に固定的に載置された原稿を当該ブック原稿台の下方を副走査方向に移動して読み取り、前記シートスルー原稿台上を搬送される原稿を当該シートスルー原稿台の下方に固定して読み取る露光走査手段と、シェーディング補正データを提供する白基準板と、前記シートスルー原稿台に対向して配置され当該シートスルー原稿台上に前記原稿が存在しないときに前記露光走査手段で読み取られて当該シートスルー原稿台の汚れの有無を検知するための検知データを提供する汚れ検知板と、を備え、前記ブック原稿読取台上に載置された原稿を前記露光走査手段が移動走査して当該原稿の画像を読み取るブック方式と、前記露光走査手段を前記シートスルー原稿台の下方のシートスルー読取位置に移動させて当該シートスルー原稿台上を前記原稿搬送手段で搬送される原稿を当該シートスルー読取位置に固定されている当該露光走査手段で走査して当該原稿の画像を読み取るシートスルー方式と、のいずれの方式でも原稿の読み取りを行うとともに、いずれの読取方式で原稿を読み取る場合にも、当該原稿の読取毎に前記白基準板を読み取って、当該白基準板を読み取ったときのシェーディング補正データに基づいて前記原稿を読み取ったときの画像データをシェーディング補正し、前記シートスルー方式で原稿の画像を読み取る場合には、画像読取要求を受け取ると、前記露光走査手段を前記白基準板を読み取る白基準板読取位置に移動させて当該白基準板を当該露光走査手段で読み取ってシェーディング補正データを取得した後当該露光走査手段を前記シートスルー原稿台の下方の前記シートスルー読取位置に移動させるシートスルーシェーディング動作を行った後、当該シートスルー読取位置に移動した当該露光走査手段で前記汚れ検知板を読み取って前記シートスルー原稿台の汚れの有無を検知する汚れ検知動作を行い、その後、前記原稿搬送手段を駆動して１枚の原稿を前記原稿載置台から前記シートスルー原稿台上に搬送させ、当該シートスルー原稿台上を搬送される原稿の画像を前記シートスルー読取位置に固定されている前記露光走査手段で読み取るシートスルー読取動作を行う画像読取装置であって、前記画像読取要求に応じて、前記シートスルー方式で原稿の読み取りを行う際に、前記シートスルーシェーディング動作の所要時間をＴｓ、前記汚れ検知動作の所要時間をＴｌ、前記原稿搬送手段の前記シートスルー読取動作開始から原稿の先端が前記シートスルー読取位置に到達するまでの原稿搬送所要時間をＴｄとしたとき、前記画像読取要求を受けてから待ち時間Ｔ＝Ｔｓ＋Ｔｌ−Ｔｄだけ経過したときに、前記原稿搬送手段による前記シートスルー読取動作を開始することにより、上記目的を達成している。
【００２７】
上記構成によれば、画像読取要求を受け取ると、露光走査手段を白基準板を読み取る白基準板読取位置に移動させて当該白基準板を当該露光走査手段で読み取ってシェーディング補正データを取得した後当該露光走査手段をシートスルー原稿台の下方のシートスルー読取位置に移動させるシートスルーシェーディング動作を行った後、当該シートスルー読取位置に移動した当該露光走査手段で汚れ検知板を読み取ってシートスルー原稿台の汚れの有無を検知する汚れ検知動作を行い、その後、原稿搬送手段を駆動して１枚の原稿を原稿載置台からシートスルー原稿台上に搬送させ、当該シートスルー原稿台上を搬送される原稿の画像をシートスルー読取位置に固定されている露光走査手段で読み取るシートスルー読取動作を行うシートスルー方式で原稿の読み取りを行う際に、シートスルーシェーディング動作の所要時間をＴｓ、汚れ検知動作の所要時間をＴｌ、原稿搬送手段のシートスルー読取動作開始から原稿の先端がシートスルー読取位置に到達するまでの原稿搬送所要時間をＴｄとしたとき、画像読取要求を受けてから待ち時間Ｔ＝Ｔｓ＋Ｔｌ−Ｔｄだけ経過したときに、原稿搬送手段によるシートスルー読取動作を開始するので、シートスルーシェーディング動作及び汚れ検知動作が終了した後にシートスルー読取動作を開始する場合に比較して、原稿搬送所要時間Ｔｄと汚れ検知動作所要時間Ｔｌの合計時間（Ｔｄ＋Ｔｌ）だけ読み取りを早く開始させることができ、読取画像の品質を向上させつつ、原稿の画像読取の生産性を向上させることができる。
【００２８】
この場合、例えば、請求項２に記載するように、前記画像読取装置は、前記原稿搬送所要時間Ｔｄが、前記シートスルーシェーディング動作の所要時間Ｔｓと前記汚れ検知動作の所要時間Ｔｌの合計時間よりも大きいときには、前記画像読取要求を受けた際に、前記シートスルーシェーディング動作を開始するとともに、前記シートスルー読取動作を開始するものであってもよい。
【００２９】
上記構成によれば、原稿搬送所要時間Ｔｄが、シートスルーシェーディング動作の所要時間Ｔｓと汚れ検知動作の所要時間Ｔｌの合計時間よりも大きいときには、画像読取要求を受けた際に、シートスルーシェーディング動作を開始するとともに、シートスルー読取動作を開始するので、シートスルーシェーディング動作及び汚れ検知動作が終了した後にシートスルー読取動作を開始する場合に比較して、シートスルーシェーディング動作所要時間Ｔｓと汚れ検知動作所要時間Ｔｌの合計時間（Ｔｓ＋Ｔｌ）だけ読み取りを早く開始させることができ、読取画像の品質を向上させつつ、原稿の画像読取の生産性を向上させることができる。
【００３０】
また、例えば、請求項３に記載するように、前記画像読取装置は、前記シートスルー方式で複数枚の原稿を連続して読み取る際に、２枚目以降の原稿の読み取りにおいて、前記画像読取要求を受けた時点から直前の原稿読取終了の直後に開始した前記シートスルーシェーディング動作及び前記汚れ検知動作が終了するまでの前動作終了時間をＴｄｓとしたとき、前記画像読取要求を受けてから待ち時間Ｔ＝Ｔｄｓ−Ｔｄだけ経過したときに、前記原稿搬送手段による前記シートスルー読取動作を開始するものであってもよい。
【００３１】
上記構成によれば、シートスルー方式で複数枚の原稿を連続して読み取る際に、２枚目以降の原稿の読み取りにおいて、画像読取要求を受けた時点から直前の原稿読取終了の直後に開始したシートスルーシェーディング動作及び汚れ検知動作が終了するまでの前動作終了時間をＴｄｓとしたとき、画像読取要求を受けてから待ち時間Ｔ＝Ｔｄｓ−Ｔｄだけ経過したときに、原稿搬送手段によるシートスルー読取動作を開始するので、シートスルーシェーディング動作及び汚れ検知動作が終了した後にシートスルー読取動作を開始する場合に比較して、原稿搬送所要時間Ｔｄだけ原稿１枚当たりの読取間隔時間を短縮することができ、読取画像の品質を向上させつつ、原稿の画像読取の生産性を向上させることができる。
【００３２】
さらに、例えば、請求項４に記載するように、前記画像読取装置は、前記原稿搬送所要時間Ｔｄが、前記前動作終了時間Ｔｄｓよりも大きいときには、前記画像読取要求を受けた際に、前記シートスルー読取動作を開始するものであってもよい。
【００３３】
上記構成によれば、原稿搬送所要時間Ｔｄが、前動作終了時間Ｔｄｓよりも大きいときには、画像読取要求を受けた際に、シートスルー読取動作を開始するので、シートスルーシェーディング動作及び汚れ検知動作が終了した後にシートスルー読取動作を開始する場合に比較して、前動作終了時間をＴｄｓだけ原稿１枚当たりの読取間隔時間を短縮することができ、読取画像の品質を向上させつつ、原稿の画像読取の生産性を向上させることができる。
【００３４】
また、例えば、請求項５に記載するように、前記画像読取装置は、前記シートスルーシェーディング動作を行うことなく、前記原稿の読み取りを行う場合には、前記画像読取要求を受けてから待ち時間Ｔ＝Ｔｄｓ−Ｔｄだけ経過したときに、前記原稿搬送手段による前記シートスルー読取動作を開始するものであってもよい。
【００３５】
上記構成によれば、シートスルーシェーディング動作を行うことなく、原稿の読み取りを行う場合には、画像読取要求を受けてから待ち時間Ｔ＝Ｔｄｓ−Ｔｄだけ経過したときに、原稿搬送手段によるシートスルー読取動作を開始するので、シートスルーシェーディング動作及び汚れ検知動作が終了した後にシートスルー読取動作を開始する場合に比較して、原稿搬送所要時間Ｔｄだけ原稿１枚当たりの読取間隔時間を短縮することができ、読取画像の品質を向上させつつ、原稿の画像読取の生産性を向上させることができる。
【００３６】
さらに、例えば、請求項６に記載するように、前記画像読取装置は、前記原稿搬送所要時間Ｔｄが、前記前動作終了時間Ｔｄｓよりも大きいときには、前記画像読取要求を受けた際に、前記シートスルー読取動作を開始するものであってもよい。
【００３７】
上記構成によれば、原稿搬送所要時間Ｔｄが、前動作終了時間Ｔｄｓよりも大きいときには、画像読取要求を受けた際に、シートスルー読取動作を開始するので、汚れ検知動作終了後からシートスルー読取動作を開始する場合に比較して、前動作終了時間をＴｄｓだけ原稿１枚当たりの読取間隔時間を短縮することができ、読取画像の品質を向上させつつ、原稿の画像読取の生産性を向上させることができる。
【００３８】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３９】
図１〜図９は、本発明の画像読取装置の一実施の形態を示す図であり、図１は、本発明の画像読取装置の一実施の形態を適用したデジタル複写装置１のシステム構成図である。
【００４０】
図１において、デジタル複写装置１は、動作要求を発行する各種アプリケーション等のアプリケーション層２と、アプリケーション層からの動作要求を受けて各デバイスに動作要求を発行したり、各デバイスのマネージメントを行うコントローラ層３と、コントローラ層３からの動作要求を受けて実際の動作を行うデバイス層４から構成されている。
【００４１】
コントローラ層３は、画像等を記憶するメモリやハードディスク等の記憶媒体５及びこの記憶媒体５を制御する画像記録制御部（図示略）を有しており、デバイス層４は、画像読取機能部６及び画像出力機能部７を含んだ構成となっている。
【００４２】
デジタル複写装置１は、例えば、図示しない操作部で読取開始ボタンが押下されると、アプリケーション層２がコントローラ層３に対して画像読取要求を発行する。コントローラ層３は、アプリケーション層２からの画像読取要求を受けて、画像読取機能部６に対して、要求された読取動作を行うための演算やレジスタセット等の読取準備を行うように指示し、同時に、読み取られた画像データを格納するためのメモリやハードディスク等の記憶媒体５を準備するように画像記録制御部に要求を送る。
【００４３】
これに対して、画像読取機能部６及び記憶媒体５は、それぞれ読み取りが開始できる状態になった時点で、準備が完了した旨をコントローラ層３に対して通知する。
【００４４】
コントローラ層３は、画像読取機能部６と記憶媒体５の準備完了を受けて、画像読取機能部６に対して、読取開始要求を発行する。
【００４５】
画像読取機能部６は、コントローラ層３からの読取開始要求があると、当該読取開始要求を受けて、実際に原稿の画像の読み取りを行い、コントローラ層３の記憶媒体５に読み取った画像データを転送する。
【００４６】
コントローラ層３は、画像読取機能部６からの画像データの転送が完了すると、必要に応じて、画像出力機能部７に出力要求を発行する。
【００４７】
画像出力機能部７は、コントローラ層３からの出力要求を受けると、記憶媒体５に記憶された画像データを転写紙等の記録媒体に出力する。
【００４８】
そして、上記画像読取機能部６は、本体筐体上部に、ブックリード用コンタクトガラス（ブック原稿台）１０とシートスルー用コンタクトガラス（シートスルー原稿台）１１が並んで配設されており、このブックリード用コンタクトガラス１０とシートスルー用コンタクトガラス１１との間の本体筐体内側の面に白基準板１２が配設されている。ブックリード用コンタクトガラス１０とシートスルー用コンタクトガラス１１の下方の本体筐体内には、ランプ１３と第１ミラー１４を搭載する第１走行体１５と、第２ミラー１６と第３ミラー１７を搭載する第２走行体１８と、図示しないレンズ及びＣＣＤ（Ｃｈａｒｇｅ  Ｃｏｕｐｌｅｄ  Ｄｅｖｉｃｅ  ）１９等の読取走査ユニット（露光走査手段）が配設されており、本体筐体２の上部には、原稿搬送手段としてのＡＤＦ（Ａｕｔｏ  Ｄｏｃｕｍｅｎｔ  Ｆｉｅｄｅｒ）２０が設けられている。ＡＤＦ２０には、複数枚の原稿の載置される原稿台（原稿載置台）２１、原稿台２１上の複数枚の原稿を１枚ずつ分離して送り出す給紙コロ２２、給紙コロ２２により送り出された原稿をシートスルー用コンタクトガラス１１上に搬送するガイドコロ２３、読取の完了した原稿を原稿回収台２４上に排出する排紙コロ２５、シートスルー用コンタクトガラス１１と対向して配設されたゴミ検知基準板（汚れ検知板）２６等を備えている。
【００４９】
また、画像読取機能部６は、図示しないが、第１走行体１５及び第２走行体１８を副走査方向に移動させるスキャナモータ、第１走行体１５及び第２走行体１８のホームポジション位置を検出するホームポジションセンサ、原稿のセットや搬送位置を検出する原稿検知センサ等が設けられている。
【００５０】
画像読取機能部６は、第１走行体１５に搭載されたランプ１３から、ブックリード用コンタクトガラス１０上の原稿、シートスルー用コンタクトガラス１１上の原稿及び基準白板１２に光を照射し、原稿または基準白板１２で反射された光を、第１走行体１５上の第１ミラー１４、第２走行体１８上の第２ミラー１６及び第３ミラー１７で順次反射して、レンズに入射させる。レンズは、入射光をＣＣＤ１９上に縮小結像させ、ＣＣＤ１９は、入射光を光電変換する。
【００５１】
基準白板１２は、光の照射される面が白色に施されており、読取光学系による各種のひずみを補正するためのシェーディング補正データを提供する。
【００５２】
そして、画像読取機能部６は、ブック方式とシートスルー方式のうち選択された方式で原稿の読み取りを行う。
【００５３】
すなわち、画像読取機能部６は、ブック方式では、ブックリード用コンタクトガラス１０上にセットされた原稿を、第１走行体１５及び第２走行体１８を副走査方向に移動させながら、第１走行体１５に搭載されたランプ１３から、ブックリード用コンタクトガラス１０上の原稿に光を照射して、原稿で反射された光を、第１走行体１５上の第１ミラー１４、第２走行体１８上の第２ミラー１６及び第３ミラー１７で順次反射して、レンズを介してＣＣＤ１９に集光照射し、ＣＣＤ１９で入射光を光電変換して、原稿の画像を読み取る。このとき、画像読取機能部６は、第１走行体１５と第２走行体１８を、第２走行体１８が第１走行体１５の１／２の速度で従動して、第１走行体１５と第２走行体１８が２対１の速度比となるように駆動させる。また、画像読取機能部６は、ブック方式で原稿を読み取る場合には、原稿の読み取りに先立って、読取位置が図３に示す白基準板読取位置Ｐ２となるように第１走行体１５と第２走行体１８を移動させ、基準白板１２を読み取って、当該基準白板１２を読み取ったときの画像データを、シェーディング補正データとして、メモリに保存して、当該メモリに保存したシェーディング補正データに基づいて、原稿を読み取ったときの画像データをシェーディング補正する。
【００５４】
また、画像読取機能部６は、シートスルー方式では、第１走行体１５を、図１に示すように、シートスルー用コンタクトガラス１１の真下のシートスルー読取位置Ｐ１に移動させ、第２走行体１８を第１走行体１５よりも右側の位置に位置させて、ＡＤＦ２０の原稿台２１上に載置された複数枚の原稿を１枚ずつシートスルー用コンタクトガラス１１とゴミ検知基準板２６との間に搬送し、当該シートスルー用コンタクトガラス１１上を搬送される原稿に第１走行体１５に搭載されたランプ１３から光を照射して、原稿で反射された光を、第１走行体１５上の第１ミラー１４、第２走行体１８上の第２ミラー１６及び第３ミラー１７で順次反射して、レンズを介してＣＣＤ１９に集光照射し、ＣＣＤ１９で入射光を光電変換して、原稿の画像を読み取る。
【００５５】
そして、画像読取機能部６は、シートスルー方式では、原稿の読み取りに先立って、まず、読取位置が図３に示した白基準板読取位置Ｐ２となるように、第１走行体１５及び第２走行体１８を移動させて、基準白板１２を読み取って、当該基準白板１２を読み取ったときの画像データを、シェーディング補正データとして、メモリに保存して、シートスルー読取位置Ｐ１に復帰するという一連のＡＤＦシェーディング動作（シートスルーシェーディング動作）を行い、当該シートスルー読取位置Ｐ１で、ゴミ検知用基準板２６を数ライン分読み取って、当該ゴミ検知用基準板２６を読み取ったときの画像データに基づいてシートスルー用コンタクトガラス１１の汚れを検出するという汚れ検知動作を行い、その後、ＡＤＦ２０を駆動させて原稿の搬送を開始してシートスルー用コンタクトガラス１１上を通過する原稿の読み取りを行うというシートスルー読取動作を開始し、原稿を読み取ったときの画像データを、メモリに保存したシェーディング補正データに基づいてシェーディング補正する。
【００５６】
画像読取機能部６は、上述のように、ブック方式とシートスルー方式で同じ白規準板１２を読み取ってシェーディング補正データを取得して、当該シェーディング補正データを用いてシェーディング補正を行うことで、ブック方式とシートスルー方式のどちらで読み取りを行っても画質に差がないようにしている。
【００５７】
次に、本実施の形態の作用を説明する。本実施の形態のデジタル複写装置１は、画像読取機能部６での原稿の読み取りをブック方式とシートスルー方式とで行うことができるが、ブック方式とシートスルー方式のいずれの方式で原稿を読み取っても画質に差が生じないようにするために、ブック方式とシートスルー方式のいずれの方式のときにも同じ白基準板１２を読み取ったときのシェーディング補正データに基づいてシェーディング補正を行っている。
【００５８】
すなわち、画像読取機能部６は、ブック方式で原稿を読み取る場合には、原稿の読み取りに先立って、読取位置が図３に示した白基準板読取位置Ｐ２となるように第１走行体１５と第２走行体１８を移動させ、基準白板１２を読み取って、当該基準白板１２を読み取ったときの画像データを、シェーディング補正データとして、メモリに保存して、当該メモリに保存したシェーディング補正データに基づいて、原稿を読み取ったときの画像データをシェーディング補正する。
【００５９】
そして、画像読取機能部６は、シートスルー方式で原稿を読み取る場合には、原稿の読み取りに先立って、読取位置が図３に示した白基準板読取位置Ｐ２となるように、第１走行体１５及び第２走行体１８を移動させて、基準白板１２を読み取って、当該基準白板１２を読み取ったときの画像データを、シェーディング補正データとして、メモリに保存して、シートスルー読取位置Ｐ１に復帰するという一連のＡＤＦシェーディング動作を行い、当該シートスルー読取位置Ｐ１で、ゴミ検知用基準板２６を数ライン分読み取って、当該ゴミ検知用基準板２６を読み取ったときの画像データに基づいてシートスルー用コンタクトガラス１１の汚れを検知するという汚れ検知動作を行い、その後、ＡＤＦ２０を駆動させて原稿の搬送を開始してシートスルー用コンタクトガラス１１上を通過する原稿の読み取りを行うというシートスルー読取動作を開始し、原稿を読み取ったときの画像データを、メモリに保存したシェーディング補正データに基づいてシェーディング補正する。
【００６０】
そして、デジタル複写装置１は、上述のように、例えば、図示しない操作部で読取開始ボタンが押下されると、アプリケーション層２がコントローラ層３に対して画像読取要求を発行し、コントローラ層３が、アプリケーション層２からの画像読取要求を受けて、画像読取機能部６に対して、要求された読取動作を行うための演算やレジスタセット等の読取準備を行うように指示すると、同時に、読み取られた画像データを格納するためのメモリやハードディスク等の記憶媒体５を準備するように画像記録制御部に要求を送る。
【００６１】
これに対して、画像読取機能部６及び記憶媒体５が、それぞれ読み取りが開始できる状態になった時点で、準備が完了した旨をコントローラ層３に対して通知し、コントローラ層３が、画像読取機能部６と記憶媒体５の準備完了を受けて、画像読取機能部６に対して、読取開始要求を発行する。
【００６２】
画像読取機能部６は、コントローラ層３からの読取開始要求があると、当該読取開始要求を受けて、実際に原稿の画像の読み取りを行い、コントローラ層３の記憶媒体５に読み取った画像データを転送する。
【００６３】
コントローラ層３は、画像読取機能部６からの画像データの転送が完了すると、必要に応じて、画像出力機能部７に出力要求を発行する。
【００６４】
画像出力機能部７は、コントローラ層３からの出力要求を受けると、記憶媒体５に記憶された画像データを転写紙等の記録媒体に出力する。
【００６５】
そして、デジタル複写装置１は、シートスルー方式での読み取りの際には、読取中に次の原稿の読取要求が発行されている場合には、画像読取機能部６は、原稿の読み取りが終了した直後に次の原稿の読み取りのためのＡＤＦシェーディング動作を行う。画像読取機能部６は、ＡＤＦ２０の原稿台２１上の複数枚の原稿を連続して読み取る際には、２枚目以降の原稿の読み取りでは、コントローラ層３からの読取開始要求を受けた際に、その直前の原稿読取終了直後に行ったＡＤＦシェーディング動作によって取得したシェーディング補正データを用いてシェーディング補正を行う。
【００６６】
そして、デジタル複写装置１は、画像読取機能部６での原稿の搬送を開始して原稿の画像を読み取るというシートスルー読取動作の動作タイミングを、図４に示すように調整することで、処理速度を向上させている。
【００６７】
すなわち、コントローラ層３から読取準備要求が発行されると、画像読取機能部６は、ランプ１３の点灯、各動作部のパラメータの設定等を行い、終了すると、コントローラ層３に読取準備完了を通知する。コントローラ層３は、システム全体として読取準備が完了すると、読取開始要求を画像読取機能部６に対して発行する。
【００６８】
画像読取機能部６は、コントローラ層３から読取開始要求を受け取ると、まず、上記ＡＤＦシェーディング動作を行う。
【００６９】
そして、ＡＤＦシェーディング動作が終了し、第１走行体１５がシートスルー読取位置Ｐ１に到達した時点から画像読取が可能となるため、ＡＤＦシェーディング動作の所要時間をＴｓ、汚れ検知動作の所要時間をＴｌ、ＡＤＦ２０のシートスルー読取動作開始から原稿の先端が読取位置に到達するまでの原稿搬送所要時間をＴｄとしたとき、画像読取機能部６は、コントローラ層３から画像読取要求を受けてから、次式で示す待ち時間Ｔだけ経過したときに、ＡＤＦ２０のシートスルー読取動作を開始させる。
【００７０】
Ｔ＝Ｔｓ＋Ｔｌ−Ｔｄ
したがって、画像読取を開始するまでの時間を、原稿搬送所要時間Ｔｄだけ短縮することができる。
【００７１】
このように、本実施の形態のデジタル複写装置１は、コントローラ層３から画像読取要求を受け取ると、第１走行体１５を白基準板１２を読み取る白基準板読取位置Ｐ２に移動させて白基準板１２を読み取ってシェーディング補正データを取得した後第１走行体１５をシートスルー用コンタクトガラス１１の下方のシートスルー読取位置Ｐ１に移動させるシートスルーシェーディング動作（ＡＤＦシェーディング動作）を行った後、シートスルー読取位置Ｐ１に移動した第１走行体１５でゴミ検知用基準板２６を読み取ってシートスルー用コンタクトガラス１１の汚れの有無を検知する汚れ検知動作を行い、その後、ＡＤＦ２０を駆動して１枚の原稿を原稿台２１からシートスルー用コンタクトガラス１１上に搬送させ、シートスルー用コンタクトガラス１１上を搬送される原稿の画像をシートスルー読取位置Ｐ１に固定されている第１走行体１５等で読み取るシートスルー読取動作を行うシートスルー方式で原稿の読み取りを行う際に、シートスルーシェーディング動作の所要時間をＴｓ、汚れ検知動作の所要時間をＴｌ、ＡＤＦ２０のシートスルー読取動作開始から原稿の先端がシートスルー読取位置Ｐ１に到達するまでの原稿搬送所要時間をＴｄとしたとき、画像読取要求を受けてから待ち時間Ｔ＝Ｔｓ＋Ｔｌ−Ｔｄだけ経過したときに、ＡＤＦ２０によるシートスルー読取動作を開始している。
【００７２】
したがって、シートスルーシェーディング動作及び汚れ検知動作が終了した後にシートスルー読取動作を開始する場合に比較して、原稿搬送所要時間Ｔｄと汚れ検知動作所要時間Ｔｌの合計時間（Ｔｄ＋Ｔｌ）だけ読み取りを早く開始させることができ、読取画像の品質を向上させつつ、原稿の画像読取の生産性を向上させることができる。
【００７３】
また、デジタル複写装置１は、画像読取機能部６においてシートスルー方式で原稿を読み取る際、通常読み取るときよりも大きな解像度で読み取る場合には、当該解像度に応じて原稿の搬送速度を遅く搬送して原稿の読み取りを行う。
【００７４】
この場合には、画像読取機能部６は、シートスルー読取動作開始から原稿の先端が読取位置に到達するまでの原稿搬送所要時間Ｔｄが大きくなるため、図５に示すように、ＡＤＦシェーディング動作の所要時間Ｔｓと汚れ検知動作の所要時間Ｔｌを加算した時間（Ｔｓ＋Ｔｌ）よりも、ＡＤＦ２０のシートスルー読取動作開始から原稿の先端が読取位置に到達するまでの原稿搬送所要時間Ｔｄの方が大きくなるときがある。
【００７５】
このようなときには、コントローラ層３から画像読取要求がきた際に、図５に示すように、ＡＤＦシェーディング動作を実行すると同時に、シートスルー読取動作を開始させる。
【００７６】
すなわち、原稿搬送開始から読取位置に原稿の先端が達するまでの原稿搬送所要時間ＴｄがＡＤＦシェーディング動作の所要時間Ｔｓと汚れ検知動作の所要時間Ｔｌの合計Ｔｓ＋Ｔｌよりも大きい場合には、ＡＤＦシェーディング動作開始と同時にシートスルー読取動作を開始する
このようにすると、ＡＤＦシェーディング動作が終了してからシートスルー読取動作を開始するよりも、Ｔｓ＋Ｔｌ時間だけ早く読み取りを開始することができる。
【００７７】
さらに、デジタル複写装置１は、画像読取機能部６においてシートスルー方式で複数枚の原稿を連続して読み取る際に、２枚目以降の原稿の読み取りにおける制御を図６に示すように行う。
【００７８】
すなわち、画像読取機能部６は、シートスルー方式で複数枚の原稿を連続して読み取る際に、２枚目以降の原稿の読み取りを行う場合、図６に示すように、直前の原稿の読取動作が終了する前に、コントローラ層３から読取準備要求が発行されると、図６に矢印Ａで示すように、読取有効範囲の走査が完了すると、直ぐに、次の原稿の読み取りのために、ＡＤＦシェーディング動作を行う。さらに、ＡＤＦシェーディング動作開始時にタイマーを起動する。その後、コントローラ層３から読取開始要求が発行されると、タイマーのカウントからＡＤＦシェーディング動作と汚れ検知動作が終了するまでの前動作終了時間Ｔｄｓを算出する。ここで、タイマーのカウントをｔとすると、Ｔｄｓ＝Ｔｄ＋Ｔｌ−ｔとなる。
【００７９】
そして、画像読取機能部６は、図６に示すように、コントローラ層３から読取開始要求を受け取った後、Ｔ＝Ｔｄｓ−Ｔｄだけ経過すると、シートスルー読取動作を開始する。
【００８０】
このようにすると、連続読み取りでの原稿１枚あたりの読取間隔を原稿搬送所要時間Ｔｄだけ短縮することができる。
【００８１】
また、デジタル複写装置１は、画像読取機能部６においてシートスルー方式で複数枚の原稿を連続して読み取る際に、２枚目以降の原稿の読み取りにおいて、Ｔｄｓ＜Ｔｄであると、ＡＤＦシェーディング動作開始と同時にシートスルー読取動作を開始する。
【００８２】
すなわち、デジタル複写装置１は、原稿を通常読み取るときよりも大きな解像度で読み取る場合や１枚の原稿の読取時間に対して画像出力機能部７での画像出力に時間がかかるような動作をする場合等の理由で、記憶媒体５が画像データを保存する領域をすぐに確保できないとき等のように、直前の原稿の読み取りが終了してもすぐには次の原稿の画像読取要求がコントローラ層３から画像読取機能部６に発行されない場合には、図７に示すように、画像読取要求が発行された時点からＡＤＦシェーディング動作及び汚れ検知動作が終了するまでの前動作終了時間Ｔｄｓがシートスルー読取動作を開始してから原稿先端が画像読取位置に到達する原稿搬送所要時間Ｔｄよりも短くなる。
【００８３】
このような場合には、画像読取機能部６は、図７に示すように、画像読取開始要求が発行された時点で、ＡＤＦシェーディング動作とシートスルー読取動作を同時に開始させる。
【００８４】
このようにすると、シェーディング動作及び汚れ検知動作終了からシートスルー読取動作を開始するよりも連続読み取りでの原稿１枚あたりの読取間隔を前動作終了時間Ｔｄｓだけ短縮することができる。
【００８５】
さらに、デジタル複写装置１は、複数枚の原稿を連続して読み取る場合に、原稿毎に上記ＡＤＦシェーディング動作を行って、当該ＡＤＦシェーディング動作で取得したシェーディング補正データに基づいてシェーディング補正する。
【００８６】
ところが、シェーディング補正は、主にランプ１３のばらつきを補正するものであるため、ランプ１３の性能によっては、一旦シェーディング補正を行うと、ランプ１３を消さない限り、ある程度の時間の間は読取毎にシェーディング補正を行わなくても、ある程度の画像を保証できる場合がある。
【００８７】
そこで、デジタル複写装置１は、このように原稿の読取毎にシェーディング動作を行ってシェーディング補正データを取得してシェーディング補正を行う必要がない場合には、図８に示すように、直前の読取終了後、ＡＤＦシェーディング動作を行わずに、汚れ検知動作のみを行う。
【００８８】
このとき、画像読取機能部６は、Ｔｄｓ＝Ｔｌ−ｔとして、前動作終了時間Ｔｄｓを算出し、読取開始要求からＴ＝Ｔｄｓ−Ｔｄだけ経過すると、シートスルー読取動作を行う。
【００８９】
このようにすると、連続読取での原稿１枚あたりの読取間隔をＴｄだけ短縮することができる。
【００９０】
また、デジタル複写装置１は、原稿の読取毎にシェーディング動作を行ってシェーディング補正データを取得してシェーディング補正を行う必要がない場合であって、Ｔｄｓ＜Ｔｄの際には、汚れ検知動作と同時にシートスルー読取動作を開始する。
【００９１】
すなわち、画像読取機能部６は、図９に示すように、原稿の読取毎にシェーディング動作を行ってシェーディング補正データを取得してシェーディング補正を行う必要がない場合であって、Ｔｄｓ＜Ｔｄの際には、汚れ検知動作と同時に、シートスルー読取動作を開始する。
【００９２】
このようにすると、汚れ検知動作終了からシートスルー読取動作を開始するよりも連続読取での原稿１枚あたりの読取間隔を前動作終了時間Ｔｄｓだけ短縮することができる。
【００９３】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００９４】
【発明の効果】
請求項１記載の発明の画像読取装置によれば、画像読取要求を受け取ると、露光走査手段を白基準板を読み取る白基準板読取位置に移動させて当該白基準板を当該露光走査手段で読み取ってシェーディング補正データを取得した後当該露光走査手段をシートスルー原稿台の下方のシートスルー読取位置に移動させるシートスルーシェーディング動作を行った後、当該シートスルー読取位置に移動した当該露光走査手段で汚れ検知板を読み取ってシートスルー原稿台の汚れの有無を検知する汚れ検知動作を行い、その後、原稿搬送手段を駆動して１枚の原稿を原稿載置台からシートスルー原稿台上に搬送させ、当該シートスルー原稿台上を搬送される原稿の画像をシートスルー読取位置に固定されている露光走査手段で読み取るシートスルー読取動作を行うシートスルー方式で原稿の読み取りを行う際に、シートスルーシェーディング動作の所要時間をＴｓ、汚れ検知動作の所要時間をＴｌ、原稿搬送手段のシートスルー読取動作開始から原稿の先端がシートスルー読取位置に到達するまでの原稿搬送所要時間をＴｄとしたとき、画像読取要求を受けてから待ち時間Ｔ＝Ｔｓ＋Ｔｌ−Ｔｄだけ経過したときに、原稿搬送手段によるシートスルー読取動作を開始するので、シートスルーシェーディング動作及び汚れ検知動作が終了した後にシートスルー読取動作を開始する場合に比較して、原稿搬送所要時間Ｔｄと汚れ検知動作所要時間Ｔｌの合計時間（Ｔｄ＋Ｔｌ）だけ読み取りを早く開始させることができ、読取画像の品質を向上させつつ、原稿の画像読取の生産性を向上させることができる。
【００９５】
請求項２記載の発明の画像読取装置によれば、原稿搬送所要時間Ｔｄが、シートスルーシェーディング動作の所要時間Ｔｓと汚れ検知動作の所要時間Ｔｌの合計時間よりも大きいときには、画像読取要求を受けた際に、シートスルーシェーディング動作を開始するとともに、シートスルー読取動作を開始するので、シートスルーシェーディング動作及び汚れ検知動作が終了した後にシートスルー読取動作を開始する場合に比較して、シートスルーシェーディング動作所要時間Ｔｓと汚れ検知動作所要時間Ｔｌの合計時間（Ｔｓ＋Ｔｌ）だけ読み取りを早く開始させることができ、読取画像の品質を向上させつつ、原稿の画像読取の生産性を向上させることができる。
【００９６】
請求項３記載の発明の画像読取装置によれば、シートスルー方式で複数枚の原稿を連続して読み取る際に、２枚目以降の原稿の読み取りにおいて、画像読取要求を受けた時点から直前の原稿読取終了の直後に開始したシートスルーシェーディング動作及び汚れ検知動作が終了するまでの前動作終了時間をＴｄｓとしたとき、画像読取要求を受けてから待ち時間Ｔ＝Ｔｄｓ−Ｔｄだけ経過したときに、原稿搬送手段によるシートスルー読取動作を開始するので、シートスルーシェーディング動作及び汚れ検知動作が終了した後にシートスルー読取動作を開始する場合に比較して、原稿搬送所要時間Ｔｄだけ原稿１枚当たりの読取間隔時間を短縮することができ、読取画像の品質を向上させつつ、原稿の画像読取の生産性を向上させることができる。
【００９７】
請求項４記載の発明の画像読取装置によれば、原稿搬送所要時間Ｔｄが、前動作終了時間Ｔｄｓよりも大きいときには、画像読取要求を受けた際に、シートスルー読取動作を開始するので、シートスルーシェーディング動作及び汚れ検知動作が終了した後にシートスルー読取動作を開始する場合に比較して、前動作終了時間をＴｄｓだけ原稿１枚当たりの読取間隔時間を短縮することができ、読取画像の品質を向上させつつ、原稿の画像読取の生産性を向上させることができる。
【００９８】
請求項５記載の発明の画像読取装置によれば、シートスルーシェーディング動作を行うことなく、原稿の読み取りを行う場合には、画像読取要求を受けてから待ち時間Ｔ＝Ｔｄｓ−Ｔｄだけ経過したときに、原稿搬送手段によるシートスルー読取動作を開始するので、シートスルーシェーディング動作及び汚れ検知動作が終了した後にシートスルー読取動作を開始する場合に比較して、原稿搬送所要時間Ｔｄだけ原稿１枚当たりの読取間隔時間を短縮することができ、読取画像の品質を向上させつつ、原稿の画像読取の生産性を向上させることができる。
【００９９】
請求項６記載の発明の画像読取装置によれば、原稿搬送所要時間Ｔｄが、前動作終了時間Ｔｄｓよりも大きいときには、画像読取要求を受けた際に、シートスルー読取動作を開始するので、汚れ検知動作終了後からシートスルー読取動作を開始する場合に比較して、前動作終了時間をＴｄｓだけ原稿１枚当たりの読取間隔時間を短縮することができ、読取画像の品質を向上させつつ、原稿の画像読取の生産性を向上させることができる。
【図面の簡単な説明】
【図１】本発明の画像読取装置の一実施の形態を適用したデジタル複写装置の機能ブロック構成図。
【図２】図１の画像読取機能部の要部正面断面図。
【図３】図２のシートスルー用コンタクトガラス及び白基準板部分の拡大正面図。
【図４】図１のデジタル複写装置による読取動作タイミングを示すタイミング図。
【図５】図１のデジタル複写装置による大きな解像度での読取時の読取動作タイミングを示すタイミング図。
【図６】図１のデジタル複写装置による複数枚の連続読取時の２枚目以降の一般的な読取動作タイミングを示すタイミング図。
【図７】図１のデジタル複写装置による複数枚の連続読取時の２枚目以降の読取動作での大きな解像度での読取時等の読取動作タイミングを示すタイミング図。
【図８】図１のデジタル複写装置による複数枚の連続読取時の２枚目以降の読取動作での原稿毎にＡＤＦシェーディング動作を行わない場合の読取動作タイミングを示すタイミング図。
【図９】図１のデジタル複写装置による複数枚の連続読取時の２枚目以降の読取動作での原稿毎にＡＤＦシェーディング動作を行わない場合であって汚れ検知動作と同時に、シートスルー読取動作を開始する場合の読取動作タイミングを示すタイミング図。
【符号の説明】
１  デジタル複写装置
２  アプリケーション層
３  コントローラ層
４  デバイス層
５  記憶媒体
６  画像読取機能部
７  画像出力機能部
１０  ブックリード用コンタクトガラス
１１  シートスルー用コンタクトガラス
１２  白基準板
１３  ランプ
１４  第１ミラー
１５  第１走行体
１６  第２ミラー
１７  第３ミラー
１８  第２走行体
１９  ＣＣＤ
２０  ＡＤＦ
２１  原稿台
２２  給紙コロ
２３  ガイドコロ
２４  原稿回収台
２５  排紙コロ
２６  ゴミ検知基準板
【図１】
2004357190.tif 000003
【図２】
2004357190.tif 000004
【図３】
2004357190.tif 000005
【図４】
2004357190.tif 000006
【図５】
2004357190.tif 000007
【図６】
2004357190.tif 000008
【図７】
2004357190.tif 000009
【図８】
2004357190.tif 000010
【図９】
2004357190.tif 000011